(57)【特許請求の範囲】
【請求項１】
複数の音源と、
複数のスピーカと、
上記各音源と上記各スピーカとの間に設けられたマトリックス手段と、
上記各音源に対応した複数のパターンを記憶している記憶手段と、
上記各音源のうちいずれかが付勢されるごとに付勢された音源に対応するパターンを上記記憶手段から読み出し、この読み出したパターンに基づいて指定されたスピーカと上記付勢された音源とを接続するように上記マトリックス手段を制御する制御手段と、
上記マトリックス手段の制御が変化するごとに変化した制御状態を表示する表示手段とを、
具備する構内放送装置。
【請求項２】
請求項１記載の構内放送装置において、上記記憶手段には、各パターンによって指定されるスピーカが競合するときのパターンの優先順位も記憶されており、上記制御手段は、上記競合が生じたとき、優先順位の高いパターンに基づいて上記マトリックスを制御する構内放送装置。
【請求項３】
請求項２記載の構内放送装置において、上記記憶手段には、同一優先順位のパターンにおいて指定するスピーカが競合したとき、先に行われていた放送を優先し、この放送が終了した後に、後からの放送を行う先取りのスタイルと、先に行われている放送を中断して、後からのパターンに基づく放送を行う後取りのスタイルのいずれかが、設定されている構内放送装置。
【請求項４】
請求項２記載の構内放送装置において、上記記憶手段には、各パターンによって指定されるスピーカの一部が競合したとき、優先順位の低いパターンの非競合のスピーカでの放送を中断したままとするロックアウトオンと、放送を継続するロックアウトオフとのいずれかが、パターンごとに設定されている構内放送装置。
【発明の詳細な説明】
【０００１】
【発明の属する技術分野】
本発明は、構内放送装置に関し、特にこれに使用されているマトリックスの状態を監視するものに関する。
【０００２】
【従来の技術】
構内放送装置には、複数の音源と、複数のスピーカと、マトリックスとを、有するものがある。マトリックスは、ＣＰＵからの制御信号に応じて、各音源を所望のスピーカに接続する。各音源をいずれのスピーカに接続するかは、各音源ごとにメモリに各パターンとして記憶されている。或る音源が作動を開始すると、この作動している音源に対応するパターンをＣＰＵがメモリから読み出し、そのパターンが指定している各スピーカに作動している音源を接続するように、ＣＰＵがマトリックスを制御する。この構内放送装置では、各パターンは、表示装置と操作キーとを使用して、使用者がメモリに記憶させる。
【０００３】
【発明が解決しようとする課題】
この構内放送装置が、実際に動作しているとき、現在、どの音源からどのスピーカに放送がされているか監視できることが望ましい。特に、作動する音源が時間の経過と共に変化する場合には、このような監視ができることが望ましい。
【０００４】
【課題を解決するための手段】
上記の課題を解決するために、請求項１記載の発明は、複数の音源と、複数のスピーカと、上記各音源と上記各スピーカとの間に設けられたマトリックス手段と、上記各音源に対応した複数のパターンを記憶している記憶手段と、上記各音源のうちいずれかが付勢されるごとに付勢された音源に対応するパターンを上記記憶手段から読み出し、この読み出したパターンに基づいて指定されたスピーカと上記付勢された音源とを接続するように上記マトリックス手段を制御する制御手段と、上記マトリックス手段の制御が変化するごとに変化した制御状態を表示する表示手段とを、具備している。
【０００５】
請求項１記載の発明によれば、或る音源が付勢されると、この音源に対応するパターンが記憶手段から読出され、このパターンに基づいて、制御手段がマトリックスを制御し、付勢された音源の音が所望のスピーカから放送される。このとき、マトリックスがどのように制御されているかが表示手段に表示されるので、付勢された音源がどのスピーカに供給されているか判断できる。付勢される音源が他の音源に変化した場合、表示手段への表示も、同様に変化する。
【０００６】
請求項２記載の発明では、請求項１記載の発明において、上記記憶手段には、各パターンによって指定されるスピーカが競合するときのパターンの優先順位も記憶されている。上記制御手段は、上記競合が生じたとき、優先順位の高いパターンに基づいて上記マトリックス手段を制御する。
【０００７】
請求項２記載の発明によれば、或るパターンによってマトリックスが制御されている状態において、このパターンによって或る音源からの音声が供給されているスピーカに、別の音源からの音声が供給されるパターンが選択されたとき、即ちパターンの競合が生じたとき、優先順位の高いパターンに基づいてマトリックス手段が制御される。例えば、現在のパターンの方の優先順位が高ければ、現在のパターンが維持されるし、後に指定されたパターンの優先順位が高ければ、後に指定されたパターンに従ってマトリックス手段が制御される。このような競合があった場合に、マトリックスの制御状態が変化したか否かも表示手段に表示される。
【０００８】
請求項３記載の発明では、請求項２記載の発明において、上記記憶手段に、同一優先順位のパターンにおいて指定するスピーカが競合したとき、先に行われていた放送を優先し、この放送が終了した後に、後からの放送を行う先取りのスタイルと、先に行われている放送を中断して、後からのパターンに基づく放送を行う後取りのスタイルのいずれかが、設定されている。
【０００９】
請求項３記載の発明によれば、或るパターンに従ってマトリックスが制御されている状態において、同じ優先順位のパターンが競合すると、記憶手段に記憶されているいずれのパターンを優先するかに従って、マトリックスが制御される。このように優先順位の等しいパターンが競合した場合にも、マトリックスの制御状態が変化したか否かもリアルタイムで知ることができる。
【００１０】
請求項４記載の発明では請求項２記載の構内放送装置において、上記記憶手段には、各パターンによって指定されるスピーカの一部が競合したとき、優先順位の低いパターンの非競合のスピーカでの放送を中断したままとするロックアウトオンと、放送を継続するロックアウトオフとのいずれかが、パターンごとに設定されている。
【００１１】
請求項４記載の発明によれば、現在のパターンよりも優先順位の高いパターンが選択された際、優先順位の高いパターンに基づいてマトリックス手段が制御されるが、優先順位の高いパターンに切り換えると、現在のパターンで指定されていたスピーカのうち、今まで音声が聞こえていたのに聞こえなくなるものが出現する。この場合、聞こえなくするのか、或いはこれらのスピーカについてだけ、現在の放送を維持するのかの処理について、記憶手段に記憶されており、この記憶に従ってマトリックス手段が制御される。このマトリックスの制御状態の変化も、表示手段に表示される。
【００１２】
【発明の実施の形態】
本発明の１実施の形態の構内放送装置１は、図１に示されているように、複数の音源、例えば入力機器２から信号が入力される。これら入力機器２としては、開店時のアナウンス、閉店時のアナウンスがそれぞれ録音された音声ファイル、ＢＧＭ用の音楽が記憶されたテープが装填されたテープレコーダや、店内放送用のマイクロフォン等が使用される。図１では、４台の入力機器２を示しているが、その台数は、構内放送する施設における需要に従って任意に変更できる。
【００１３】
これら入力機器２のうち開店時のアナウンス、閉店時のアナウンス、ＢＧＭ用のものは、図示しないプログラムタイマによって所定の時刻になると自動的に作動させられる。また、店内放送用のマイクロフォンは、必要時に使用者が操作することによって作動させられる。これら入力機器２は、作動時に音声信号を出力すると共に、作動していることを表す制御信号を生成する。
【００１４】
音声信号は、構内放送装置１の入力部４内の増幅器６によってそれぞれ増幅された後、Ａ／Ｄ変換器８によってそれぞれディジタル音声信号に変換され、マトリックス回路１０に供給される。制御信号は、入力部４内の入出力インターフェース１２を介して、マトリックス制御手段、例えばＣＰＵ１４に供給される。
【００１５】
マトリックス回路１０から出力されたディジタル音声信号は、出力部１６のＤ／Ａ変換器１８によってアナログ音声信号に変換され、出力部１６の増幅器２０によって増幅され、さらに構内放送装置１の外部の増幅器２２によって増幅され、複数のスピーカ２４に供給される。これらスピーカ２４は、図１では４台示されているが、その数は、この構内放送装置が設置されている建物の規模等によって任意に増減することができる。
【００１６】
マトリックス回路１０は、各入力機器２に対応する複数の入力ライン２６と、各スピーカ２４に対応する複数の出力ライン２８とを有している。これら入力ライン２６と各出力ライン２８との間に複数のバスライン３０が設けられている。各入力ライン２６と各バスライン３０との交点には、これらをそれぞれ接続状態または非接続状態にするスイッチ、例えば半導体スイッチが設けられている。同様に、各出力ライン２８と各バスライン３０との交点にも、これらをそれぞれ接続状態または非接続状態とするスイッチ、例えば半導体スイッチが設けられている。これらスイッチの切換をＣＰＵ１４が行う。
【００１７】
従って、接続状態とする半導体スイッチを適切にＣＰＵ１４が選択することによって、いずれの入力機器２の音声信号も、所望のスピーカ２４に供給することができる。例えば店内放送用の入力機器２の音声信号は、全てのスピーカ２４に供給されるが、別の入力機器、例えばＢＧＭ用の入力機器２の音声信号は、特定のスピーカ２４のみに供給されるように、半導体スイッチを切り換えることができる。これらの切り換え状態は、記憶手段、例えばメモリ３２に、各入力機器２からの制御信号に対応したパターンとして記憶されている。
【００１８】
或る入力機器２が作動を開始すると、該入力機器２からの制御信号が入出力インターフェース１２を介してＣＰＵ１４に供給され、ＣＰＵ１４は入力された制御信号に対応するパターンをメモリ３２から読出して、そのパターンに従って各半導体スイッチを切り換える。このような切換は、制御信号が供給されるごとに行われる。
【００１９】
これらパターンは、ＣＰＵ１４に接続されている操作部３４と表示装置３６とを使用して、使用者によってメモリ３２に記憶させられる。操作部３４の予め定められたキーを操作すると、図２に示すような縦横に配列された複数のセルを有する表が表示される。この表の左端の行の各セルには、各入力機器にそれぞれ対応する入力ライン２６に付された番号が表示されている。またこの表の上端の列の各セルには、スピーカ２４にそれぞれ対応する出力ライン２８にそれぞれ付された番号が表示されている。
【００２０】
この状態において、操作部３４に設けられているカーソルキー３４Ｕ、３４Ｄ、３４Ｒ、３４Ｌを操作することによって、各セル上をカーソルが移動する。所望の位置セルにカーソルが移動したとき、マーク３４Ｍを操作すると、そのセル位置にマークが表示される。これによって、この反転したセルが交点となる行の入力ラインと列の出力ラインとが接続されることが決定される。以下、同様にして或る入力機器２が接続される各出力ライン２８が１つのパターンとして決定される。同様に、他の入力機器２が接続される各出力ライン２８がパターンとして記憶される。この決定が終了すると、操作部３４のファックションキーのうち、Ｆ−５キーを操作すると、決定された各パターンがメモリ３２に記憶される。なお、他のファンクションキーＦ−１乃至Ｆ−４には、種々の機能が割り当てられているが、本願発明の要旨と直接に関係しないので、説明を省略する。
【００２１】
上記のように各入力機器２に対応するパターンが決定されるが、或るスピーカ２４は、複数の入力機器２から音声信号が供給される状態、即ち競合状態になることがある。例えば、ＢＧＭが放送されている状態において、店内放送が行われるような場合がある。このような場合、どの入力機器２からの音声信号を優先するべきが決定する必要がある。
【００２２】
また、優先順位を決定した場合、全てのパターンに異なる優先順位が付けられるのではなく、いくつかのパターンには同一の優先順位が付けられることがある。このような場合、同じ優先順位のパターンが競合した場合、どのように処理するかを決定する必要がある。この処理としては、例えば先に行われている放送を優先し、この放送が終了した後に、後からパターンに基づく放送を行う先取りのスタイルと、先に行われている放送を中断して、直ちに後からのパターンに基づく放送を行う後取りのスタイルとがある。これらいずれのスタイルを選択するかを決定する必要がある。
【００２３】
或る入力機器２からの音声信号が放送されるスピーカと、別の入力機器からの音声信号が放送されるスピーカとは一部で重複することがある。そして、優先順位の高いパターンの方がスピーカの数が少ないことがある。例えば或るパターンでは、Ａ乃至Ｄの４つのスピーカのうち、Ａ、Ｂに放送を行うが、別のパターンではＢ、Ｃ、Ｄの３つのスピーカに放送を行うことがある。そして、上記或るパターンの方が優先順位が高いとすると、上記別のパターンで放送が行われているとき、上記或るパターンで放送を開始すると、Ｃ、Ｄのスピーカは、突然に放送が中断したままになる。このようなままでよいのか、即ちロックアウトオンとするか、或いは上記或るパターンでの放送が行われないＣ、Ｄのスピーカには、上記別のパターンでの放送を継続するのか、即ちロックアウトオフとするのかを決定する必要がある。
【００２４】
そこで、操作部の特定のキーを操作すると、図３に示すような複数のセルを有する表が表示される。この表の左端の表の各セルには、各入力機器２に対応する入力線２６に付された番号が表示されている。また、この表の上端の各列の説には、左から優先順位を表すＰｒｉ、スタイルを表すＳｔｙｌｅ、ロックアウトを表すＬｏｕｔの文字が表示される。
【００２５】
ここで、例えばカーソルキー３４Ｕ、３４Ｄ、３４Ｒ、３４Ｌを操作して、Ｐｒｉの各行に順次カーソルを移動させ、ファッンクションキーＦ−１を操作する度に、そのセルに表示される数値が１ずつ大きくなる。逆にファンクションキーＦ−２を操作する度に、そのセルに表示される数値が１ずつ小さくなる。このようにして、Ｐｒｉの各行に優先順位を設定する。
【００２６】
Ｓｔｙｌｅの各行には、デフォルト値として、先取りを表すＦＩＦＯと表示されている。ここで、例えば同一優先順位が割り当てられている入力ライン３、４、５のいずれかのセルにカーソルを移動させ、ファンクションキーＦ−１またはＦ−２を操作すると、同一優先順位である各セルの表示が、後押しを表すＬＩＦＯに変化する。
【００２７】
また、Ｌｏｕｔの各行は、デフォルト値としては何も表示されてなく、この状態ではロックアウトオフとされる。ここで、ロックアウトオンとしたい入力ラインに対応するセルの上にカーソルを移動させ、マークキー３４を操作することによって、そのセルにマークが表示される。以下、同様にして、ロックオフとしたい入力ラインに対応するセル上にマークを表示させる。
【００２８】
このようにして、全ての設定が終了すると、ファンクションキーＦ−５を操作することによって、優先順位、スタイル及びロックアウトに関する設定がメモリに記憶される。
【００２９】
入力機器２から制御信号が供給されるごとに、ＣＰＵ１４は、メモリに記憶されている各パターン及び優先順位、スタイル及びロックアウトに応じて、マトリックス１０の各半導体スイッチを制御する。
【００３０】
このとき、操作部３４の特定のキーの操作によって、図４に示すような表が表示される。この表は、左端の各行のセルが入力機器２に対応する入力ラインを表し、上端の各列のセルがスピーカに対応する出力ラインを表す。そして、入力機器２から制御信号がＣＰＵ１４に供給されて、マトリックス回路１０がＣＰＵ１４によって制御されるごとに、ＣＰＵ１４は、互いに接続されている入力ラインと出力ラインとの交点となるセルにマークを表示する。無論、同一の優先順位のパターンが競合した場合、先取りの指示が与えられていると、表示は変化しないが、後取りの指示が与えられていると、表示は変化する。さらに、ロックアウトがオフになっており、複数のパターンに基づく放送が同時に行われている場合には、その状況が表示される。
【００３１】
このように、現在どのような状況で放送が行われているかを、表示部３６の表示を見ることによってモニターすることができ、しかも、その表示は、マトリックスの状況が変化するごとに、その変化後の状態を瞬時に表す。
【００３２】
上記の実施の形態では、操作部３４は、表示部３６と別個に設けたが、表示部３６上に設けたタッチパネルを操作部として使用することもできる。
【００３３】
【発明の効果】
以上のように、請求項１記載の発明によれば、付勢される音源が変化するごとに、付勢された音源に対応するパターンに従ってマトリックスが制御され、付勢された音源の音声が所望のスピーカから放送されるが、そのマトリックスが制御された状態が表示手段に表示されるので、現在、どの音源からどのように音声が放送されているかモニターすることができる。
【００３４】
請求項２記載の発明では、付勢された音源によって放送が成されるスピーカが競合した場合には、予め定められた優先順位に従って競合状態が解消されるが、予定通りに解消されたか否か表示手段の表示を見ることによって確認できる。
【００３５】
請求項３記載の発明では、同じ優先順位のパターンが競合した場合、指定されている方法によって、競合が解消されるが、この競合が予定通りに解消されたか否か、表示手段の表示を見ることによって確認できる。
【００３６】
請求項４記載の発明では、優先順位の異なるパターンが競合した場合、優先順位の高いパターンが優先されて処理されるが、先行していたパターンと後からの優先順位の高いパターンとでスピーカの数が異なり、先行していたパターンのスピーカに競合しないスピーカが含まれている場合の処理方法が予め定められているが、その処理方法に従って放送が行われているか、表示手段を見ることによって確認することができる。
【図面の簡単な説明】
【図１】本発明の１実施の形態の構内放送装置のブロック図である。
【図２】同構内放送装置における音声入力のパターン設定画面を示す図である。
【図３】同構内放送装置における優先順位、スタイル及びロックの設定画面を示す図である。
【図４】同構内放送装置における音声出力状態を表示する画面を示す図である。
【符号の説明】
２  入力機器（音源）
１０  マトリックス回路（マトリックス手段）
１４  ＣＰＵ（マトリックス制御手段）
２４  スピーカ
３２  メモリ（記憶手段）
３６  表示装置（表示手段）
【図１】
0003759814.tif 000002
【図２】
0003759814.tif 000003
【図３】
0003759814.tif 000004
【図４】
0003759814.tif 000005